(57)【要約】      （修正有）【課題】画像の色の調整の自由度を向上することができる画像処理装置および画像処理プログラムを提供する。【解決手段】ＭＦＰ（Ｍｕｌｔｉｆｕｎｃｔｉｏｎ  Ｐｅｒｉｐｈｅｒａｌ）１０は、画像を入力するスキャン実行手段１８ａと、色空間を複数の領域に区分可能な色空間区分手段１８ｂと、スキャン実行手段１８ａによって入力された画像を色空間区分手段１８ｂによって区分された領域に応じて複数の部分に区分可能な画像区分手段１８ｃと、画像区分手段１８ｃによって区分された部分毎に色相、彩度および明度のそれぞれを調整可能な色調整手段１８ｅと、色調整手段１８ｅによる調整が適用された画像を出力するプリント実行手段１８ｄとを備える。同一の領域に含まれる色は、色相、彩度および明度のそれぞれが同一または近似であり、少なくとも１つの領域は、色相が互いに異なる複数の色を含む。【選択図】図１
2019154000.tif 000002
【特許請求の範囲】
【請求項１】
画像を入力する画像入力手段と、
色空間を複数の領域に区分可能な色空間区分手段と、
前記画像入力手段によって入力された前記画像を前記色空間区分手段によって区分された前記領域に応じて複数の部分に区分可能な画像区分手段と、
前記画像区分手段によって区分された前記部分毎に色相、彩度および明度のそれぞれを調整可能な色調整手段と、
前記色調整手段による調整が適用された前記画像を出力する画像出力手段と
を備え、
同一の前記領域に含まれる色は、色相、彩度および明度のそれぞれが同一または近似であり、
少なくとも１つの前記領域は、色相が互いに異なる複数の色を含むことを特徴とする画像処理装置。
【請求項２】
前記画像区分手段によって区分された前記部分における、前記色調整手段による色相、彩度および明度のそれぞれの調整の対象の範囲を受け付ける調整範囲受付手段を備えることを特徴とする請求項１に記載の画像処理装置。
【請求項３】
前記画像区分手段は、文字部分と、前記文字部分以外の線画部分とが前記画像に含まれる場合に、前記文字部分および前記線画部分のうち前記線画部分のみを区分の対象にすることを特徴とする請求項１または請求項２に記載の画像処理装置。
【請求項４】
前記色調整手段による調整が適用された前記画像を前記画像出力手段による出力前に表示するプレビュー手段を備えることを特徴とする請求項１から請求項３までのいずれかに記載の画像処理装置。
【請求項５】
画像を入力する画像入力手段と、
色空間を複数の領域に区分可能な色空間区分手段と、
前記画像入力手段によって入力された前記画像を前記色空間区分手段によって区分された前記領域に応じて複数の部分に区分可能な画像区分手段と、
前記画像区分手段によって区分された前記部分毎に色相、彩度および明度のそれぞれを調整可能な色調整手段と、
前記色調整手段による調整が適用された前記画像を出力する画像出力手段と
をコンピューターに実現させ、
同一の前記領域に含まれる色は、色相、彩度および明度のそれぞれが同一または近似であり、
少なくとも１つの前記領域は、色相が互いに異なる複数の色を含むことを特徴とする画像処理プログラム。
【発明の詳細な説明】
【技術分野】
【０００１】
本発明は、画像の色を調整する画像処理装置および画像処理プログラムに関する。
【背景技術】
【０００２】
従来の画像処理装置として、画像の色相、彩度および明度のそれぞれを調整可能なものが知られている（例えば、特許文献１参照。）。
【０００３】
しかしながら、特許文献１に記載された画像処理装置においては、彩度および明度のそれぞれを複数の色相の範囲毎に調整することができないという問題がある。
【０００４】
従来の画像処理装置として、彩度および明度のそれぞれを複数の色相の範囲毎に調整可能なものが知られている（例えば、特許文献２参照。）。
【先行技術文献】
【特許文献】
【０００５】
【特許文献１】特開平５−２９２３０３号公報
【特許文献２】特開２００８−１３１２１０号公報
【発明の概要】
【発明が解決しようとする課題】
【０００６】
しかしながら、特許文献２に記載された画像処理装置においては、色相を調整することができないという問題がある。
【０００７】
そこで、本発明は、画像の色の調整の自由度を向上することができる画像処理装置および画像処理プログラムを提供することを目的とする。
【課題を解決するための手段】
【０００８】
本発明の画像処理装置は、画像を入力する画像入力手段と、色空間を複数の領域に区分可能な色空間区分手段と、前記画像入力手段によって入力された前記画像を前記色空間区分手段によって区分された前記領域に応じて複数の部分に区分可能な画像区分手段と、前記画像区分手段によって区分された前記部分毎に色相、彩度および明度のそれぞれを調整可能な色調整手段と、前記色調整手段による調整が適用された前記画像を出力する画像出力手段とを備え、同一の前記領域に含まれる色は、色相、彩度および明度のそれぞれが同一または近似であり、少なくとも１つの前記領域は、色相が互いに異なる複数の色を含むことを特徴とする。
【０００９】
この構成により、本発明の画像処理装置は、色空間を複数の領域に区分可能であり、色空間を区分した領域に応じて画像を複数の部分に区分可能であり、画像を区分した部分毎に色相、彩度および明度のそれぞれを調整可能であるので、画像の色の調整の自由度を向上することができる。
【００１０】
本発明の画像処理装置は、前記画像区分手段によって区分された前記部分における、前記色調整手段による色相、彩度および明度のそれぞれの調整の対象の範囲を受け付ける調整範囲受付手段を備えても良い。
【００１１】
この構成により、本発明の画像処理装置は、色空間を区分した領域に応じた、画像の部分において、一部の範囲に対してのみ色を調整可能であるので、画像の色の調整の自由度を向上することができる。
【００１２】
本発明の画像処理装置において、前記画像区分手段は、文字部分と、前記文字部分以外の線画部分とが前記画像に含まれる場合に、前記文字部分および前記線画部分のうち前記線画部分のみを区分の対象にしても良い。
【００１３】
この構成により、本発明の画像処理装置は、文字部分と、文字部分以外の線画部分とが画像に含まれる場合に、文字部分および線画部分のうち線画部分のみを区分の対象にするので、文字部分の色を調整せずに、文字部分以外の線画部分の色を調整することができる。
【００１４】
本発明の画像処理装置は、前記色調整手段による調整が適用された前記画像を前記画像出力手段による出力前に表示するプレビュー手段を備えても良い。
【００１５】
この構成により、本発明の画像処理装置は、色が調整された画像を出力前に表示するので、利便性を向上することができる。
【００１６】
本発明の画像処理プログラムは、画像を入力する画像入力手段と、色空間を複数の領域に区分可能な色空間区分手段と、前記画像入力手段によって入力された前記画像を前記色空間区分手段によって区分された前記領域に応じて複数の部分に区分可能な画像区分手段と、前記画像区分手段によって区分された前記部分毎に色相、彩度および明度のそれぞれを調整可能な色調整手段と、前記色調整手段による調整が適用された前記画像を出力する画像出力手段とをコンピューターに実現させ、同一の前記領域に含まれる色は、色相、彩度および明度のそれぞれが同一または近似であり、少なくとも１つの前記領域は、色相が互いに異なる複数の色を含むことを特徴とする。
【００１７】
この構成により、本発明の画像処理プログラムを実行するコンピューターは、色空間を複数の領域に区分可能であり、色空間を区分した領域に応じて画像を複数の部分に区分可能であり、画像を区分した部分毎に色相、彩度および明度のそれぞれを調整可能であるので、画像の色の調整の自由度を向上することができる。
【発明の効果】
【００１８】
本発明の画像処理装置および画像処理プログラムは、画像の色の調整の自由度を向上することができる。
【図面の簡単な説明】
【００１９】
【図１】本発明の一実施の形態に係るＭＦＰのブロック図である。
【図２】スキャン機能の実行の開始が指示された場合の図１に示すＭＦＰの動作のフローチャートである。
【図３】図１に示す表示部によって表示されるスキャン画面の一例を示す図である。
【図４】図２に示すレイヤー保存設定処理のフローチャートである。
【図５】図１に示す表示部によって表示されるレイヤー保存設定画面の一例を示す図である。
【図６】図１に示すスキャナーによって原稿から読み取られた画像の一例を示す図である。
【図７】プリント機能の実行の開始が指示された場合の図１に示すＭＦＰの動作のフローチャートである。
【図８】図１に示す表示部によって表示されるプリント画面の一例を示す図である。
【図９】図７に示す色調整設定処理のフローチャートである。
【図１０】図１に示す表示部によって表示される色調整設定画面の一例を示す図である。
【図１１】図９に示す調整範囲設定処理のフローチャートである。
【図１２】図１に示す表示部によって表示される調整範囲受付画面の一例を示す図である。
【発明を実施するための形態】
【００２０】
以下、本発明の実施の形態について、図面を用いて説明する。
【００２１】
まず、本発明の一実施の形態に係る画像処理装置としてのＭＦＰ（Ｍｕｌｔｉｆｕｎｃｔｉｏｎ  Ｐｅｒｉｐｈｅｒａｌ）の構成について説明する。
【００２２】
図１は、本実施の形態に係るＭＦＰ１０のブロック図である。
【００２３】
図１に示すように、ＭＦＰ１０は、種々の操作が入力される例えばボタンなどの操作デバイスである操作部１１と、種々の情報を表示する例えばＬＣＤ（Ｌｉｑｕｉｄ  Ｃｒｙｓｔａｌ  Ｄｉｓｐｌａｙ）などの表示デバイスである表示部１２と、用紙などの記録媒体に画像を印刷する印刷デバイスであるプリンター１３と、原稿から画像を読み取る読取デバイスであるスキャナー１４と、図示していない外部のファクシミリ装置と公衆電話回線などの通信回線経由でファックス通信を行うファックスデバイスであるファックス通信部１５と、ＬＡＮ（Ｌｏｃａｌ  Ａｒｅａ  Ｎｅｔｗｏｒｋ）、インターネットなどのネットワーク経由で、または、ネットワークを介さずに有線または無線によって直接に、外部の装置と通信を行う通信デバイスである通信部１６と、各種の情報を記憶する例えば半導体メモリー、ＨＤＤ（Ｈａｒｄ  Ｄｉｓｋ  Ｄｒｉｖｅ）などの不揮発性の記憶デバイスである記憶部１７と、ＭＦＰ１０全体を制御する制御部１８とを備えている。
【００２４】
ＭＦＰ１０は、複数の機能を実行可能な装置である。例えば、ＭＦＰ１０は、スキャナー１４によって原稿から画像を読み取るスキャン機能と、画像のデータに基づいてプリンター１３によって記録媒体に画像を印刷するプリント機能と、画像のデータを記憶部１７に記憶するボックス機能とを実行可能である。
【００２５】
操作部１１の少なくとも一部は、表示部１２とともに、タッチパネルを構成している。
【００２６】
記憶部１７は、画像処理プログラム１７ａを記憶している。画像処理プログラム１７ａは、例えば、ＭＦＰ１０の製造段階でＭＦＰ１０にインストールされていても良いし、ＵＳＢ（Ｕｎｉｖｅｒｓａｌ  Ｓｅｒｉａｌ  Ｂｕｓ）メモリーなどの外部の記憶媒体からＭＦＰ１０に追加でインストールされても良いし、ネットワーク上からＭＦＰ１０に追加でインストールされても良い。
【００２７】
制御部１８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるメモリーとしてのＲＡＭ（Ｒａｎｄｏｍ  Ａｃｃｅｓｓ  Ｍｅｍｏｒｙ）とを備えている。ＣＰＵは、記憶部１７またはＲＯＭに記憶されているプログラムを実行する。すなわち、ＭＦＰ１０は、コンピューターである。
【００２８】
制御部１８は、画像処理プログラム１７ａを実行することによって、スキャン機能を実行する画像入力手段としてのスキャン実行手段１８ａと、色空間を複数の領域に区分可能な色空間区分手段１８ｂと、色空間区分手段１８ｂによって区分された領域に応じて画像を複数の部分に区分可能な画像区分手段１８ｃと、プリント機能を実行する画像出力手段としてのプリント実行手段１８ｄと、画像区分手段１８ｃによって区分された部分毎に色相、彩度および明度のそれぞれを調整可能な色調整手段１８ｅと、画像区分手段１８ｃによって区分された部分における、色調整手段１８ｅによる色相、彩度および明度のそれぞれの調整の対象の範囲を受け付ける調整範囲受付手段１８ｆと、色調整手段１８ｅによる調整が適用された画像をプリント実行手段１８ｄによる出力前に表示するプレビュー手段１８ｇとを実現する。
【００２９】
次に、ＭＦＰ１０の動作について説明する。
【００３０】
まず、スキャン機能の実行の開始が指示された場合のＭＦＰ１０の動作について説明する。
【００３１】
利用者は、スキャン機能の実行の開始を操作部１１を介してＭＦＰ１０に指示することができる。ＭＦＰ１０の制御部１８は、スキャン機能の実行の開始が指示されると、図２に示す動作を実行する。
【００３２】
図２は、スキャン機能の実行の開始が指示された場合のＭＦＰ１０の動作のフローチャートである。
【００３３】
図２に示すように、スキャン実行手段１８ａは、画像を複数のレイヤーに区分して保存するレイヤー保存機能の使用を利用者が選択したか否かを示すレイヤー保存機能フラグを倒す（Ｓ１０１）。
【００３４】
次いで、スキャン実行手段１８ａは、スキャン機能のためのスキャン画面２０（図３参照。）を表示部１２によって表示する（Ｓ１０２）。
【００３５】
図３は、表示部１２によって表示されるスキャン画面２０の一例を示す図である。
【００３６】
図３に示すスキャン画面２０は、スキャン機能の実行を終了するための終了ボタン２１と、レイヤー保存機能の設定を受け付けるためのレイヤー保存設定ボタン２２と、スキャナー１４による画像の読み取りを開始するためのスキャンボタン２３とを含んでいる。
【００３７】
図２に示すように、スキャン実行手段１８ａは、スキャン画面２０におけるいずれかのボタンが操作部１１を介して押されたと判断するまで、スキャン画面２０におけるいずれかのボタンが操作部１１を介して押されたか否かを判断する（Ｓ１０３）。
【００３８】
スキャン実行手段１８ａは、スキャン画面２０におけるいずれかのボタンが操作部１１を介して押されたとＳ１０３において判断すると、スキャン画面２０において押されたボタンの種類を判断する（Ｓ１０４）。
【００３９】
スキャン実行手段１８ａは、終了ボタン２１が押されたとＳ１０４において判断すると、表示部１２によるスキャン画面２０の表示を終了して（Ｓ１０５）、図２に示す動作を終了する。
【００４０】
スキャン実行手段１８ａは、レイヤー保存設定ボタン２２が押されたとＳ１０４において判断すると、表示部１２によるスキャン画面２０の表示を終了する（Ｓ１０６）。
【００４１】
次いで、制御部１８は、レイヤー保存機能の設定を受け付けるためのレイヤー保存設定処理を実行する（Ｓ１０７）。
【００４２】
図４は、図２に示すレイヤー保存設定処理のフローチャートである。
【００４３】
図４に示すように、色空間区分手段１８ｂは、レイヤー保存機能の設定を受け付けるためのレイヤー保存設定画面３０（図５参照。）を表示部１２によって表示する（Ｓ１３１）。
【００４４】
図５は、表示部１２によって表示されるレイヤー保存設定画面３０の一例を示す図である。
【００４５】
図５に示すレイヤー保存設定画面３０は、レイヤー保存機能によるレイヤーの区分の条件を設定するためのレイヤー区分条件設定用領域３１を含んでいる。レイヤー区分条件設定用領域３１によって設定可能な条件としては、色相を何段階に区分するかを示す「色相の段階」と、彩度を区分する幅を示す「彩度の近似範囲」と、明度を区分する幅を示す「明度の近似範囲」とが存在する。レイヤー区分条件設定用領域３１は、色相の段階の数を設定するためのスライダー３２ａおよびテキストボックス３２ｂを含む色相段階設定用領域３２と、彩度の近似範囲を設定するためのスライダー３３ａおよびテキストボックス３３ｂを含む彩度近似範囲設定用領域３３と、明度の近似範囲を設定するためのスライダー３４ａおよびテキストボックス３４ｂを含む明度近似範囲設定用領域３４とを含んでいる。
【００４６】
色相の段階の数は、スライダー３２ａおよびテキストボックス３２ｂによって例えば１〜２４段階のいずれかに設定可能である。スライダー３２ａおよびテキストボックス３２ｂは連動している。すなわち、スライダー３２ａのつまみが操作部１１を介して動かされると、スライダー３２ａのつまみの位置に応じた数値がテキストボックス３２ｂに表示され、テキストボックス３２ｂに表示される数値が操作部１１を介して変更されると、テキストボックス３２ｂに表示される数値に応じた位置にスライダー３２ａのつまみが配置される。
【００４７】
彩度の近似範囲は、例えば彩度が値の変動の最小の幅が１で最低値、最高値がそれぞれ０、２４０である場合、スライダー３３ａおよびテキストボックス３３ｂによって例えば０〜２４０のいずれかに設定可能である。例えば、彩度の近似範囲が０であるということは、色空間を区分する彩度の幅が１であることを示しており、彩度の近似範囲が１であるということは、色空間を区分する彩度の幅が２であることを示している。スライダー３３ａおよびテキストボックス３３ｂは、スライダー３２ａおよびテキストボックス３２ｂと同様に連動している。
【００４８】
明度の近似範囲は、例えば明度が値の変動の最小の幅が１で最低値、最高値がそれぞれ０、２４０である場合、スライダー３４ａおよびテキストボックス３４ｂによって例えば０〜２４０のいずれかに設定可能である。例えば、明度の近似範囲が０であるということは、色空間を区分する明度の幅が１であることを示しており、明度の近似範囲が１であるということは、色空間を区分する明度の幅が２であることを示している。スライダー３４ａおよびテキストボックス３４ｂは、スライダー３２ａおよびテキストボックス３２ｂと同様に連動している。
【００４９】
例えば、色空間の色相が色相環の０°以上３６０°未満で表され、色空間の彩度が値の変動の最小の幅が１で最低値、最高値がそれぞれ０、２４０であり、色空間の明度が値の変動の最小の幅が１で最低値、最高値がそれぞれ０、２４０である場合、「色相の段階」が６段階であり、「彩度の近似範囲」が２９であり、「明度の近似範囲」が３９であるとき、色空間区分手段１８ｂは、色相が色相環の０°以上６０°未満である領域、色相が色相環の６０°以上１２０°未満である領域、色相が色相環の１２０°以上１８０°未満である領域、色相が色相環の１８０°以上２４０°未満である領域、色相が色相環の２４０°以上３００°未満である領域、および、色相が色相環の３００°以上３６０°未満である領域という６段階の領域に色空間を区分する。そして、色空間区分手段１８ｂは、色相によって区分した６個の領域のそれぞれを、彩度が０〜３０である領域、彩度が３１〜６０である領域、・・・、彩度が２１１〜２４０である領域という８段階の領域に区分する。ここで、「彩度の近似範囲」が２９であるので、彩度によって区分される領域は、彩度の幅が３０である。ただし、彩度の諧調が０〜２４０までの２４１段階であるので、２４１を３０で割った余りである１は、彩度が０〜３０である領域に付与されている。そして、色空間区分手段１８ｂは、色空間を色相、彩度によってそれぞれ６段階、８段階に区分した合計４８個の領域のそれぞれを、明度が０〜４０である領域、明度が４１〜８０である領域、・・・、明度が２０１〜２４０である領域という６段階の領域に区分する。ここで、「明度の近似範囲」が３９であるので、明度によって区分される領域は、明度の幅が４０である。ただし、明度の諧調が０〜２４０までの２４１段階であるので、２４１を４０で割った余りである１は、明度が０〜４０である領域に付与されている。以上のようにして、色空間区分手段１８ｂは、色空間を色相、彩度、明度によってそれぞれ６段階、８段階、６段階に区分することによって、色空間を合計２８８個の領域に区分する。色空間区分手段１８ｂによって区分された２８８個の領域のそれぞれは、色相、彩度および明度のそれぞれが同一または近似である色のみを含んでいるとともに、色相が互いに異なる複数の色を含んでいる。なお、以上においては、理解の容易のために、色空間が色相、彩度および明度の順番で複数の領域に区分されるように説明しているが、色空間が色相、彩度および明度で複数の領域に区分される場合に区分の順番は無関係である。
【００５０】
レイヤー保存設定画面３０は、レイヤー保存機能の設定を中止するためのキャンセルボタン３５と、レイヤー保存機能の設定を実行するためのＯＫボタン３６とを含んでいる。
【００５１】
図４に示すように、色空間区分手段１８ｂは、Ｓ１３１の処理の後、キャンセルボタン３５が押されたか否かを判断する（Ｓ１３２）。
【００５２】
色空間区分手段１８ｂは、キャンセルボタン３５が押されたとＳ１３２において判断すると、表示部１２によるレイヤー保存設定画面３０の表示を終了して（Ｓ１３３）、図４に示すレイヤー保存設定処理を終了する。
【００５３】
色空間区分手段１８ｂは、キャンセルボタン３５が押されていないとＳ１３２において判断すると、ＯＫボタン３６が押されたか否かを判断する（Ｓ１３４）。
【００５４】
色空間区分手段１８ｂは、ＯＫボタン３６が押されていないとＳ１３４において判断すると、Ｓ１３２の処理を実行する。
【００５５】
色空間区分手段１８ｂは、ＯＫボタン３６が押されたとＳ１３４において判断すると、表示部１２によるレイヤー保存設定画面３０の表示を終了する（Ｓ１３５）。
【００５６】
次いで、色空間区分手段１８ｂは、ＯＫボタン３６が押された時点で色相段階設定用領域３２、彩度近似範囲設定用領域３３、明度近似範囲設定用領域３４のそれぞれによって設定されていた「色相の段階」、「彩度の近似範囲」、「明度の近似範囲」を記憶部１７に記憶する（Ｓ１３６）。
【００５７】
次いで、色空間区分手段１８ｂは、レイヤー保存機能フラグを立てて（Ｓ１３７）、図４に示すレイヤー保存設定処理を終了する。
【００５８】
図２に示すように、スキャン実行手段１８ａは、Ｓ１０７のレイヤー保存設定処理の終了後、Ｓ１０２の処理を実行する。
【００５９】
スキャン実行手段１８ａは、スキャンボタン２３が押されたとＳ１０４において判断すると、表示部１２によるスキャン画面２０の表示を終了して（Ｓ１０８）、スキャナー１４によって原稿から画像を読み取る（Ｓ１０９）。すなわち、スキャン実行手段１８ａは、画像を入力する。ここで、Ｓ１０９において読み取られた画像のデータは、例えば、画素毎にＲＧＢ値が対応付けられたデータである。
【００６０】
スキャン実行手段１８ａは、Ｓ１０９の処理の後、レイヤー保存機能フラグが倒れているか否かを判断する（Ｓ１１０）。
【００６１】
スキャン実行手段１８ａは、レイヤー保存機能フラグが倒れているとＳ１１０において判断すると、Ｓ１０９において読み取った画像のデータを記憶部１７に記憶し（Ｓ１１１）、図２に示す動作を終了する。ここで、Ｓ１１１において記憶される画像のデータは、例えば、画素毎にＲＧＢ値が対応付けられたデータである。
【００６２】
画像区分手段１８ｃは、レイヤー保存機能フラグが倒れていない、すなわち、立っているとＳ１１０において判断されると、Ｓ１０９において読み取られた画像に対してエッジ抽出を行うことによって、Ｓ１０９において読み取られた画像から、文字部分と、文字部分以外の線画部分とを抽出する（Ｓ１１２）。
【００６３】
図６は、スキャナー１４によって原稿から読み取られた画像４０の一例を示す図である。
【００６４】
図６に示す画像４０は、文字部分４１と、文字部分４１以外の線画部分４２とを含んでいる。
【００６５】
図２に示すように、画像区分手段１８ｃは、Ｓ１１２の処理の後、Ｓ１１２において抽出された線画部分の線を枠とする図形部分を、Ｓ１３６において記憶した「色相の段階」、「彩度の近似範囲」および「明度の近似範囲」の値によって区分された色空間の領域に応じた部分に区分する（Ｓ１１３）。ここで、画像区分手段１８ｃは、Ｓ１１３において区分した部分のうち同じ部分に含まれる全ての画素の色相が「色相の段階」の値により区分された色相の領域のうち同じ色相の領域に含まれ、且つ、Ｓ１１３において区分した部分のうち同じ部分に含まれる各画素間の彩度、および明度の範囲が、「彩度の近似範囲」および「明度の近似範囲」の値が示す範囲に収まるように、図形部分を区分する。なお、画像区分手段１８ｃは、Ｓ１１２において抽出された線画部分の線を枠とする図形部分の各画素に対応付けられたＲＧＢ値を、色相、彩度および明度を示すＨＣＢ値に変換した後、Ｓ１１３の処理を実行しても良い。また、Ｓ１１３の処理を実行した結果として、一つの図形部分が複数の部分に区分されても良い。
【００６６】
画像区分手段１８ｃは、Ｓ１１３の処理の後、Ｓ１１３において区分した部分毎にレイヤーを生成する（Ｓ１１４）。ここで、Ｓ１１４において生成されるレイヤーは、ラスターレイヤーでも良い。
【００６７】
スキャン実行手段１８ａは、Ｓ１１４の処理の後、Ｓ１０９において読み取った画像のデータと、Ｓ１１４において生成したレイヤーとを関連付けて記憶部１７に記憶し（Ｓ１１５）、図２に示す動作を終了する。ここで、Ｓ１１５において記憶される画像のデータは、例えば、画素毎にＲＧＢ値が対応付けられたデータである。
【００６８】
次に、プリント機能の実行の開始が指示された場合のＭＦＰ１０の動作について説明する。
【００６９】
利用者は、記憶部１７に記憶されている画像のデータのいずれかを指定して、指定した画像のデータ（以下、「対象画像データ」という。）に基づいたプリント機能の実行の開始を操作部１１を介してＭＦＰ１０に指示することができる。ＭＦＰ１０の制御部１８は、プリント機能の実行の開始が指示されると、図７に示す動作を実行する。
【００７０】
図７は、プリント機能の実行の開始が指示された場合のＭＦＰ１０の動作のフローチャートである。
【００７１】
図７に示すように、プリント実行手段１８ｄは、対象画像データにレイヤーが関連付けられているか否を判断する（Ｓ１５１）。
【００７２】
プリント実行手段１８ｄは、対象画像データにレイヤーが関連付けられているとＳ１５１において判断すると、対象画像データに応じた画像の色を調整する色調整機能の使用を利用者が選択したか否かを示す色調整機能フラグを倒す（Ｓ１５２）。
【００７３】
次いで、プリント実行手段１８ｄは、プリント機能のためのプリント画面５０（図８参照。）を表示部１２によって表示する（Ｓ１５３）。
【００７４】
図８は、表示部１２によって表示されるプリント画面５０の一例を示す図である。
【００７５】
図８に示すプリント画面５０は、プリント機能の実行を終了するための終了ボタン５１と、色調整機能の設定を受け付けるための色調整設定ボタン５２と、プリンター１３による画像の印刷を開始するためのプリントボタン５３とを含んでいる。
【００７６】
図７に示すように、プリント実行手段１８ｄは、プリント画面５０におけるいずれかのボタンが操作部１１を介して押されたと判断するまで、プリント画面５０におけるいずれかのボタンが操作部１１を介して押されたか否かを判断する（Ｓ１５４）。
【００７７】
プリント実行手段１８ｄは、プリント画面５０におけるいずれかのボタンが操作部１１を介して押されたとＳ１５４において判断すると、プリント画面５０において押されたボタンの種類を判断する（Ｓ１５５）。
【００７８】
プリント実行手段１８ｄは、終了ボタン５１が押されたとＳ１５５において判断すると、表示部１２によるプリント画面５０の表示を終了して（Ｓ１５６）、図７に示す動作を終了する。
【００７９】
プリント実行手段１８ｄは、色調整設定ボタン５２が押されたとＳ１５５において判断すると、表示部１２によるプリント画面５０の表示を終了する（Ｓ１５７）。
【００８０】
次いで、制御部１８は、色調整機能の設定を受け付けるための色調整設定処理を実行する（Ｓ１５８）。
【００８１】
図９は、図７に示す色調整設定処理のフローチャートである。
【００８２】
図９に示すように、色調整手段１８ｅは、対象画像データに関連付けられている全てのレイヤーの画像に対する色相、彩度および明度の調整量を全て０に設定して（Ｓ１８１）、色調整機能の設定を受け付けるための色調整設定画面６０（図１０参照。）を表示部１２によって表示する（Ｓ１８２）。
【００８３】
図１０は、表示部１２によって表示される色調整設定画面６０の一例を示す図である。
【００８４】
図１０に示す色調整設定画面６０は、操作部１１を介してレイヤーが指定されるためのレイヤー指定用領域６１をレイヤー毎に含んでいる。色調整設定画面６０は、複数のレイヤー指定用領域６１を上下方向に並べて配置している。色調整設定画面６０は、全てのレイヤー指定用領域６１を同時に表示することができない場合、表示するレイヤー指定用領域６１を変更するためのスクロールバー６２を含む。レイヤー指定用領域６１は、レイヤー指定用領域６１自身の対象のレイヤーに含まれる画像を縮小した状態で示すレイヤー縮小画像６１ａと、レイヤー指定用領域６１自身の対象のレイヤーを識別するためのレイヤー名を示すテキスト６１ｂとを含んでいる。図１０に示す状態は、レイヤー２のレイヤー指定用領域６１が選択されることによって、レイヤー２が指定された状態である。色調整設定画面６０は、複数のレイヤー指定用領域６１が一度に選択されることによって、一度に複数のレイヤーが指定されることも可能である。
【００８５】
色調整設定画面６０は、レイヤー指定用領域６１によって指定されたレイヤーの画像における色の調整の対象の範囲の設定を受け付けるための調整範囲設定ボタン６３を含んでいる。調整範囲設定ボタン６３は、レイヤー指定用領域６１によっていずれかのレイヤーが指定されている場合のみ、操作されることが可能である。
【００８６】
色調整設定画面６０は、レイヤー指定用領域６１によって指定されたレイヤーの画像に対する色の調整量を設定するための色調整量設定用領域６４を含んでいる。色調整量設定用領域６４は、レイヤー指定用領域６１によっていずれかのレイヤーが指定されている場合のみ、操作されることが可能である。色調整量設定用領域６４は、色相の調整量を設定するためのスライダー６５ａおよびテキストボックス６５ｂを含む色相調整量設定用領域６５と、彩度の調整量を設定するためのスライダー６６ａおよびテキストボックス６６ｂを含む彩度調整量設定用領域６６と、明度の調整量を設定するためのスライダー６７ａおよびテキストボックス６７ｂを含む明度調整量設定用領域６７とを含んでいる。
【００８７】
色相の調整量は、例えば色相が色相環の０°以上３６０°未満で表される場合、スライダー６５ａおよびテキストボックス６５ｂによって例えば−１８０°〜１８０°のいずれかに設定可能である。なお、色相の調整は、調整前の色相の値に、色相の調整量を加算することによって行われる。ただし、色相の調整の結果、調整後の色相の値が０°未満になった場合には、調整後の色相の値に３６０°を加算した値を、調整後の色相とする。また、色相の調整の結果、調整後の色相の値が３６０°以上になった場合には、調整後の色相の値から３６０°を減算した値を、調整後の色相とする。レイヤー指定用領域６１によっていずれかのレイヤーが指定された場合、スライダー６５ａおよびテキストボックス６５ｂは、レイヤー指定用領域６１によってレイヤーが指定された時点で、レイヤー指定用領域６１によって指定されたレイヤーに設定されている現在の色相の調整量を示す。スライダー６５ａおよびテキストボックス６５ｂは連動している。すなわち、スライダー６５ａのつまみが操作部１１を介して動かされると、スライダー６５ａのつまみの位置に応じた数値がテキストボックス６５ｂに表示され、テキストボックス６５ｂに表示される数値が操作部１１を介して変更されると、テキストボックス６５ｂに表示される数値に応じた位置にスライダー６５ａのつまみが配置される。
【００８８】
彩度の調整量は、例えば彩度が値の変動の最小の幅が１で最低値、最高値がそれぞれ０、２４０である場合、スライダー６６ａおよびテキストボックス６６ｂによって例えば−１２０〜１２０のいずれかに設定可能である。なお、彩度の調整は、調整前の彩度の値に、彩度の調整量を加算することによって行われる。ただし、彩度の調整の結果、調整後の彩度の値が０未満になった場合には、調整後の彩度の値を０にする。また、彩度の調整の結果、調整後の彩度の値が２４０より大きくなった場合には、調整後の彩度の値を２４０にする。レイヤー指定用領域６１によっていずれかのレイヤーが指定された場合、スライダー６６ａおよびテキストボックス６６ｂは、レイヤー指定用領域６１によってレイヤーが指定された時点で、レイヤー指定用領域６１によって指定されたレイヤーに設定されている現在の彩度の調整量を示す。スライダー６６ａおよびテキストボックス６６ｂは、スライダー６５ａおよびテキストボックス６５ｂと同様に連動している。
【００８９】
明度の調整量は、例えば明度が値の変動の最小の幅が１で最低値、最高値がそれぞれ０、２４０である場合、スライダー６７ａおよびテキストボックス６７ｂによって例えば−１２０〜１２０のいずれかに設定可能である。なお、明度の調整は、調整前の明度の値に、明度の調整量を加算することによって行われる。ただし、明度の調整の結果、調整後の明度の値が０未満になった場合には、調整後の明度の値を０にする。また、明度の調整の結果、調整後の明度の値が２４０より大きくなった場合には、調整後の明度の値を２４０にする。レイヤー指定用領域６１によっていずれかのレイヤーが指定された場合、スライダー６７ａおよびテキストボックス６７ｂは、レイヤー指定用領域６１によってレイヤーが指定された時点で、レイヤー指定用領域６１によって指定されたレイヤーに設定されている現在の明度の調整量を示す。スライダー６７ａおよびテキストボックス６７ｂは、スライダー６５ａおよびテキストボックス６５ｂと同様に連動している。
【００９０】
色調整設定画面６０は、色調整量設定用領域６４によって設定された調整量による色の調整が適用された画像を示すプレビュー領域６８を含んでいる。
【００９１】
色調整設定画面６０は、色調整機能の設定を中止するためのキャンセルボタン６９と、色調整機能の設定を実行するためのＯＫボタン７０とを含んでいる。
【００９２】
図９に示すように、プレビュー手段１８ｇは、Ｓ１８２の処理の後、対象画像データに関連付けられているそれぞれのレイヤーの画像に対する色相、彩度および明度の現在の調整量をプレビュー領域６８に反映する（Ｓ１８３）。ここで、プレビュー手段１８ｇは、色の調整の対象の範囲が受け付けられていないレイヤーに関しては、レイヤーの画像全体に対して色相、彩度および明度の現在の調整量を反映し、色の調整の対象の範囲が受け付けられているレイヤーに関しては、レイヤーの画像における色の調整の対象の範囲に対してのみ色相、彩度および明度の現在の調整量を反映する。
【００９３】
色調整手段１８ｅは、Ｓ１８３の処理の後、調整範囲設定ボタン６３が押されたか否かを判断する（Ｓ１８４）。
【００９４】
色調整手段１８ｅは、調整範囲設定ボタン６３が押されたとＳ１８４において判断すると、表示部１２による色調整設定画面６０の表示を終了する（Ｓ１８５）。
【００９５】
次いで、制御部１８は、色の調整の対象の範囲の設定を受け付けるための調整範囲設定処理を実行する（Ｓ１８６）。
【００９６】
図１１は、図９に示す調整範囲設定処理のフローチャートである。
【００９７】
図１１に示すように、調整範囲受付手段１８ｆは、調整範囲設定ボタン６３が押された時点でレイヤー指定用領域６１によって指定されていたレイヤーの画像における色の調整の対象の範囲を受け付けるための調整範囲受付画面８０（図１２参照。）を表示部１２によって表示する（Ｓ２０１）。
【００９８】
図１２は、表示部１２によって表示される調整範囲受付画面８０の一例を示す図である。
【００９９】
図１２に示す調整範囲受付画面８０は、色の調整の対象の範囲を矩形の範囲によって受け付けるための画面である。調整範囲受付画面８０は、対象のレイヤーの画像を示す対象レイヤー画像表示領域８１を含んでいる。色の調整の対象の範囲が指定されている場合、対象レイヤー画像表示領域８１には、色の調整の対象の範囲を示す枠画像８１ａが表示される。
【０１００】
調整範囲受付画面８０は、色の調整の対象の範囲の始点のＸ座標が入力されるテキストボックス８２ａと、色の調整の対象の範囲の始点のＹ座標が入力されるテキストボックス８２ｂと、色の調整の対象の範囲の終点のＸ座標が入力されるテキストボックス８３ａと、色の調整の対象の範囲の終点のＹ座標が入力されるテキストボックス８３ｂとを含んでいる。ここで、色の調整の対象の範囲の始点とは、色の調整の対象の範囲を示す矩形のいずれかの頂点を示している。色の調整の対象の範囲の終点とは、色の調整の対象の範囲を示す矩形の頂点のうち、始点の対頂点を示している。Ｘ座標は、対象のレイヤーの画像における左右方向における位置をピクセル数で示している。Ｙ座標は、対象のレイヤーの画像における上下方向における位置をピクセル数で示している。
【０１０１】
色の調整の対象の範囲は、対象レイヤー画像表示領域８１に示されているレイヤーの画像において直接指定されても良いし、テキストボックス８２ａ、テキストボックス８２ｂ、テキストボックス８３ａおよびテキストボックス８３ｂによって指定されても良い。対象レイヤー画像表示領域８１に示されているレイヤーの画像における枠画像８１ａと、テキストボックス８２ａ、テキストボックス８２ｂ、テキストボックス８３ａおよびテキストボックス８３ｂとは連動している。すなわち、対象レイヤー画像表示領域８１に示されているレイヤーの画像に対する操作部１１を介した操作によって枠画像８１ａが変更されると、枠画像８１ａに応じた数値がテキストボックス８２ａ、テキストボックス８２ｂ、テキストボックス８３ａおよびテキストボックス８３ｂに表示され、テキストボックス８２ａ、テキストボックス８２ｂ、テキストボックス８３ａおよびテキストボックス８３ｂに表示される数値が操作部１１を介して変更されると、対象レイヤー画像表示領域８１に示されているレイヤーの画像における枠画像８１ａが変更される。
【０１０２】
調整範囲受付画面８０は、対象のレイヤーのレイヤー名を示す対象レイヤー名表示領域８４と、色の調整の対象の範囲の受け付けを中止するためのキャンセルボタン８５と、色の調整の対象の範囲の受け付けを実行するためのＯＫボタン８６とを含んでいる。
【０１０３】
図１１に示すように、調整範囲受付手段１８ｆは、Ｓ２０１の処理の後、キャンセルボタン８５が押されたか否かを判断する（Ｓ２０２）。
【０１０４】
調整範囲受付手段１８ｆは、キャンセルボタン８５が押されていないとＳ２０２において判断すると、ＯＫボタン８６が押されたか否かを判断する（Ｓ２０３）。
【０１０５】
調整範囲受付手段１８ｆは、ＯＫボタン８６が押されていないとＳ２０３において判断すると、Ｓ２０２の処理を実行する。
【０１０６】
調整範囲受付手段１８ｆは、ＯＫボタン８６が押されたとＳ２０３において判断すると、ＯＫボタン８６が押された時点で枠画像８１ａによって示されている範囲を、対象のレイヤーの画像における色の調整の対象の範囲として受け付ける（Ｓ２０４）。
【０１０７】
調整範囲受付手段１８ｆは、キャンセルボタン８５が押されたとＳ２０２において判断するか、Ｓ２０４の処理が終了すると、表示部１２による調整範囲受付画面８０の表示を終了して（Ｓ２０５）、図１１に示す調整範囲設定処理を終了する。
【０１０８】
図９に示すように、色調整手段１８ｅは、Ｓ１８６の調整範囲設定処理の終了後、Ｓ１８２の処理を実行する。
【０１０９】
色調整手段１８ｅは、調整範囲設定ボタン６３が押されていないとＳ１８４において判断すると、色調整量設定用領域６４によって調整量が変更されたか否かを判断する（Ｓ１８７）。
【０１１０】
色調整手段１８ｅは、色調整量設定用領域６４によって調整量が変更されたとＳ１８７において判断すると、Ｓ１８３の処理を実行する。
【０１１１】
色調整手段１８ｅは、色調整量設定用領域６４によって調整量が変更されていないとＳ１８７において判断すると、キャンセルボタン６９が押されたか否かを判断する（Ｓ１８８）。
【０１１２】
色調整手段１８ｅは、キャンセルボタン６９が押されたとＳ１８８において判断すると、表示部１２による色調整設定画面６０の表示を終了して（Ｓ１８９）、図９に示す色調整設定処理を終了する。
【０１１３】
色調整手段１８ｅは、キャンセルボタン６９が押されていないとＳ１８８において判断すると、ＯＫボタン７０が押されたか否かを判断する（Ｓ１９０）。
【０１１４】
色調整手段１８ｅは、ＯＫボタン７０が押されていないとＳ１９０において判断すると、Ｓ１８４の処理を実行する。
【０１１５】
色調整手段１８ｅは、ＯＫボタン７０が押されたとＳ１９０において判断すると、表示部１２による色調整設定画面６０の表示を終了する（Ｓ１９１）。
【０１１６】
次いで、色調整手段１８ｅは、ＯＫボタン７０が押された時点で色調整設定画面６０によって設定されていた、対象画像データに関連付けられているそれぞれのレイヤーの画像に対する色相、彩度および明度の調整量と、ＯＫボタン７０が押された時点で色調整設定画面６０によって設定されていた、対象画像データに関連付けられているそれぞれのレイヤーにおける色の調整の対象の範囲とを記憶部１７に記憶する（Ｓ１９２）。
【０１１７】
次いで、色調整手段１８ｅは、色調整機能フラグを立てて（Ｓ１９３）、図９に示す色調整設定処理を終了する。
【０１１８】
図７に示すように、プリント実行手段１８ｄは、Ｓ１５８の色調整設定処理の後、Ｓ１５３の処理を実行する。
【０１１９】
プリント実行手段１８ｄは、プリントボタン５３が押されたとＳ１５５において判断すると、色調整機能フラグが立っているか否かを判断する（Ｓ１５９）。
【０１２０】
色調整手段１８ｅは、色調整機能フラグが立っているとＳ１５９において判断されると、最新のＳ１９２の処理によって記憶された、対象画像データに関連付けられているそれぞれのレイヤーの画像に対する色相、彩度および明度の調整量と、対象画像データに関連付けられているそれぞれのレイヤーにおける色の調整の対象の範囲とに基づいて、対象画像データによって示される画像の色を調整した画像のデータを生成する（Ｓ１６０）。すなわち、色調整手段１８ｅは、色の調整の対象の範囲が受け付けられていないレイヤーに関しては、レイヤーの画像全体に対して色相、彩度および明度の調整量を反映し、色の調整の対象の範囲が受け付けられているレイヤーに関しては、レイヤーの画像における色の調整の対象の範囲に対してのみ色相、彩度および明度の調整量を反映する。
【０１２１】
プリント実行手段１８ｄは、Ｓ１６０の処理の後、Ｓ１６０において生成された画像のデータに基づいてプリンター１３によって記録媒体に画像を印刷して（Ｓ１６１）、図７に示す動作を終了する。すなわち、プリント実行手段１８ｄは、色調整手段１８ｅによる調整が適用された画像を出力する。
【０１２２】
プリント実行手段１８ｄは、対象画像データにレイヤーが関連付けられていないとＳ１５１において判断するか、色調整機能フラグが立っていない、すなわち、倒れているとＳ１５９において判断すると、対象画像データに基づいてプリンター１３によって記録媒体に画像を印刷して（Ｓ１６２）、図７に示す動作を終了する。
【０１２３】
以上に説明したように、ＭＦＰ１０は、色空間を複数の領域に区分可能であり（Ｓ１３６）、色空間を区分した領域に応じて画像を複数の部分に区分可能であり（Ｓ１１３）、画像を区分した部分毎に色相、彩度および明度のそれぞれを調整可能である（Ｓ１６０）ので、画像の色の調整の自由度を向上することができる。したがって、ＭＦＰ１０は、画像の色を利用者に詳細に調整させることができる。
【０１２４】
ＭＦＰ１０は、色空間を区分した領域に応じて画像を区分した複数の部分のそれぞれに近似の色が含まれるので、グラデーションの部分など、位置に応じて色が微妙に変化する部分に対して纏めて色を調整することができる。
【０１２５】
ＭＦＰ１０は、色空間を区分した領域に応じた、画像の部分において、一部の範囲に対してのみ色を調整可能である（Ｓ２０１〜Ｓ２０５およびＳ１６０）ので、画像の色の調整の自由度を向上することができる。したがって、ＭＦＰ１０は、画像の色を利用者に詳細に調整させることができる。
【０１２６】
なお、ＭＦＰ１０は、本実施の形態において、色相、彩度および明度に応じて画像から区分された部分毎に、色の調整の対象の範囲を矩形の範囲で１つのみ設定可能である。しかしながら、ＭＦＰ１０は、色相、彩度および明度に応じて画像から区分された部分毎に、色の調整の対象の範囲を矩形以外の形状の範囲で設定可能でも良い。また、ＭＦＰ１０は、色相、彩度および明度に応じて画像から区分された部分毎に、色の調整の対象の範囲を複数設定可能でも良い。
【０１２７】
ＭＦＰ１０は、文字部分と、文字部分以外の線画部分とが画像に含まれる場合に、文字部分および線画部分のうち線画部分のみを区分の対象にする（Ｓ１１２およびＳ１１３）ので、文字部分の色を調整せずに、文字部分以外の線画部分の色を調整することができる。
【０１２８】
ＭＦＰ１０は、色が調整された画像を出力前に表示する（Ｓ１８３）ので、利便性を向上することができる。
【０１２９】
ＭＦＰ１０は、本実施の形態において、スキャナー１４による原稿の読み取りによって入力された画像の色を調整する。しかしながら、ＭＦＰ１０は、スキャナー１４による原稿の読み取り以外の方法によって入力された画像の色を調整しても良い。
【０１３０】
ＭＦＰ１０は、本実施の形態において、色を調整した画像をプリンター１３による印刷によって出力する。しかしながら、ＭＦＰ１０は、色を調整した画像をプリンター１３による印刷以外の方法によって出力しても良い。
【０１３１】
本発明の画像処理装置は、本実施の形態においてＭＦＰであるが、プリンター専用機、コピー専用機、ファックス専用機、スキャナー専用機など、ＭＦＰ以外の画像形成装置でも良いし、ＰＣ（Ｐｅｒｓｏｎａｌ  Ｃｏｍｐｕｔｅｒ）など、画像形成装置以外のコンピューターでも良い。
【符号の説明】
【０１３２】
１０  ＭＦＰ（画像処理装置、コンピューター）
１７ａ  画像処理プログラム
１８ａ  スキャン実行手段（画像入力手段）
１８ｂ  色空間区分手段
１８ｃ  画像区分手段
１８ｄ  プリント実行手段（画像出力手段）
１８ｅ  色調整手段
１８ｆ  調整範囲受付手段
１８ｇ  プレビュー手段
４０  画像
４１  文字部分
４２  線画部分
【図１】
2019154000.tif 000003
【図２】
2019154000.tif 000004
【図３】
2019154000.tif 000005
【図４】
2019154000.tif 000006
【図５】
2019154000.tif 000007
【図６】
2019154000.tif 000008
【図７】
2019154000.tif 000009
【図８】
2019154000.tif 000010
【図９】
2019154000.tif 000011
【図１０】
2019154000.tif 000012
【図１１】
2019154000.tif 000013
【図１２】
2019154000.tif 000014